(57)【要約】【課題】  継続記録で２つの記録媒体に分断されたコンテンツを一つのコンテンツに結合するためのムーブ中における停電などによるムーブ中断で、コンテンツが少なくとも３つに分割される恐れがある。【解決手段】  第１の記録媒体から第２の記録媒体へ継続記録を行う場合、第１の記録媒体に記録した前半部コンテンツの容量分以上の空き領域を設け、この空き領域の後に継続記録し、継続記録終了後、前記空き領域に前半部コンテンツをムーブする。そして、前記前半部コンテンツをムーブする場合、少なくとも、前半部コンテンツの各ブロックデータを暗号化した際に用いた対応する鍵をそれぞれ時系列とは逆向きの順序でムーブする。【選択図】  図９
2010257519.tif 000002
【特許請求の範囲】
【請求項１】
コンテンツデータを受信する受信部と、
前記受信部で受信したコンテンツデータが記録される記録部と、
前記受信部で受信したコンテンツデータが記録される記録媒体を接続する記録媒体接続部とを有する記録装置であって、
前記記録媒体接続部に接続された記録媒体に前記受信部で受信したコンテンツデータの前半部分が記録され、前記記録部に前記コンテンツデータの前半部分のデータサイズ分のブランク部を空けた位置から前記受信部で受信したコンテンツデータの後半部分が記録され、前記記録部への前記コンテンツデータの後半部分の記録が終了すると、前記ブランク部に前記記録媒体接続部に接続された記録媒体に記録されたコンテンツデータの前半部分が移動される記録装置。
【請求項２】
請求項２の記録装置であって、
前記コンテンツデータは複数のブロックに分割して記録され、前記コンテンツデータの前半部分の前記記録部への移動は、前記コンテンツデータの前半部分の最後に記録されたブロックから、記録された順番とは逆の順番で、前記コンテンツデータの前半部分の各ブロックを前記記録部に記録された前記コンテンツデータの後半部分の最初に記録されたブロックよりも前に結合させることで行われる記録装置。
【請求項３】
コンテンツデータを受信する受信部と、
前記受信部で受信したコンテンツデータが複数のブロックに分割されて記録される記録部と、
前記受信部で受信したコンテンツデータが複数のブロックに分割されて記録される記録媒体が接続される記録媒体接続部とを有する記録装置であって、
前記記録媒体接続部に接続された記録媒体に前記受信部で受信したコンテンツデータの前半部分が記録され、前記記録部に前記受信部で受信したコンテンツデータの後半部分が記録された場合に、前記コンテンツデータの後半部分の記録が終了すると、前記コンテンツデータの前半部分を、分割されたブロックごとに前記記録部に記録された前記コンテンツデータの後半部分に結合させることで、前記コンテンツデータの前半部分を前記記録媒体接続部に接続された記録媒体から前記記録部に移動させる記録装置。
【請求項４】
請求項３の記録装置であって、
前記コンテンツデータの前半部分の移動は、前記コンテンツデータの前半部分の最後に記録されたブロックから、記録された順番とは逆の順番で、ブロックごとに前記記録部に記録された前記コンテンツデータの後半部分の最初に記録されたブロックよりも前に結合させることで行われる記録装置。
【請求項５】
請求項１〜４のいずれかの記録装置であって、
前記受信部で受信するコンテンツデータが、１世代のみの記録が可能なコンテンツデータである記録装置。
【請求項６】
請求項２〜５のいずれかの記録装置であって、
前記コンテンツデータは分割されたブロックごとに暗号化されて記録され、
前記暗号化されたコンテンツデータのブロックの復号化に用いられる鍵情報が各ブロックごとに生成され、当該鍵情報は当該ブロックが記録される前記記録部又は前記記録媒体接続部に接続された記録媒体の、ユーザがアクセスできない領域に記録される記録装置。
【請求項７】
コンテンツデータを受信し、
前記受信したコンテンツデータを第１の記録媒体に記録し、
前記受信したコンテンツデータを第２の記録媒体に記録する記録方法であって、
前記受信したコンテンツデータの前半部分を前記第１の記録媒体に記録し、
前記第２の記録媒体に前記コンテンツデータの前半部分のデータサイズ分のブランク部を空けて前記受信したコンテンツデータの後半部分を記録し、
前記第２の記録媒体への前記コンテンツデータの後半部分の記録が終了すると、前記ブランク部に前記第２の記録媒体に記録したコンテンツデータの前半部分を移動させる記録方法。
【請求項８】
請求項７の記録方法であって、
前記コンテンツデータを複数のブロックに分割して記録し、
前記コンテンツデータの前半部分の前記第２の記録媒体への移動は、前記コンテンツデータの前半部分の最後に記録したブロックから、記録した順番とは逆の順番で、前記コンテンツデータの前半部分の各ブロックを前記第２の記録媒体に記録した前記コンテンツデータの後半部分の最初に記録したブロックよりも前に結合させることで行われる記録方法。
【請求項９】
コンテンツデータを受信し、
前記受信したコンテンツデータを複数のブロックに分割して第１の記録媒体に記録し、
前記受信したコンテンツデータを複数のブロックに分割して第２の記録媒体に記録する記録方法であって、
前記第１の記録媒体に前記受信したコンテンツデータの前半部分を記録し、前記第２の記録媒体に前記受信したコンテンツデータの後半部分を記録した場合に、前記コンテンツデータの後半部分の記録が終了すると、前記コンテンツデータの前半部分を、分割されたブロックごとに前記第２の記録媒体に記録した前記コンテンツデータの後半部分に結合させることで、前記コンテンツデータの前半部分を前記記録第１の記録媒体から前記第２の記録媒体に移動させる記録方法。
【請求項１０】
請求項９の記録方法であって、
前記コンテンツデータの前半部分の移動は、前記コンテンツデータの前半部分の最後に記録したブロックから、記録した順番とは逆の順番で、ブロックごとに前記第二の記録媒体に記録した前記コンテンツデータの後半部分の最初に記録されたブロックよりも前に結合させることで行われる記録方法。
【発明の詳細な説明】
【技術分野】
【０００１】
技術分野は、コンテンツを記録媒体に記録する記録装置に関する。
【背景技術】
【０００２】
これまで、ＶＨＳ方式（Video Home System）の磁気テープ（所謂「ビデオテープ」）を記録媒体としたビデオテープレコーダ（ＶＴＲ）が普及してきた。また、近年では、アナログ放送に加えて、デジタル放送も開始され、これに合わせて、書き替え可能でランダムアクセス性に優れ、デジタル記録に適した記録媒体、例えば、リムーバブル（着脱可能）なＤＶＤ（Digital Versatile Disk），ＢＤ（Blue Ray Disk）などの光ディスクや、大容量のＨＤＤ（Hard Disk Drive）などの複数の記録媒体を併用した記録再生装置（ビデオレコーダ）が普及しつつある。勿論、光ディスク，ＨＤＤにビデオテープを加えた記録再生装置も製品化されている。
【０００３】
特許文献１には、「記録先媒体の空容量不足時に別の記録媒体に継続録画を行う場合、録画したコンテンツが分散記録されたままの状態となる」ことを課題とし、その解決手段として「継続録画により分散記録されたコンテンツを統合して管理する継続録画コンテンツ管理情報を備え、分散記録されたコンテンツを他方の記録媒体にダビング後、当初ユーザが所望したのと同種の記録媒体に再ダビングすること」が記載されている（特許文献１［要約］参照）。
【０００４】
特許文献２には、「予約録画が指定された記録媒体の記録領域がなくなったとき、その予約録画の続きを他の記録媒体に記録して、予約録画の終了後に、分割記録された予約録画を編集して画質を損なうことなく連続した１本の予約録画にすることができるようにする」ことを課題とし、その解決手段として「予約録画が設定された第１の記録媒体に予約録画を記録し、第１の記録媒体の記録領域の残量の有無を検出して、第１の記録媒体の記録領域の残量の無が検出されたとき、該予約録画の続きを第２の記録媒体に記録し、予約録画の終了後、第１の記録媒体に記録された予約録画を第２の記録媒体にダビングして、第２の記録媒体に記録された予約録画の続きとダビングされた予約録画とを編集して連続した１本の予約録画にする」ことが記載されている（特許文献２［要約］参照）。
【０００５】
特許文献３には、「記録媒体に形成された記録領域毎に容量情報（残容量等）を取得し、取得した容量情報を統合することにより、記録媒体の残容量をユーザにわかりやすく表示出力する」ことを課題とし、その解決手段として「録画再生装置１０は、リムーバブル記録媒体２２に形成された記録領域毎に容量情報を取得し、取得した容量情報を統合する容量情報管理部１８と、統合した情報に基づいてリムーバブル記録媒体２２の残容量を表示出力する表示部２１とを備える。リムーバブル記録媒体２２は、コンテンツを記録するための通常領域２２１と、コンテンツの暗号化情報を記録するためのセキュア領域２２２とを含んで構成され、容量情報管理部１８は、通常領域２２１のバイト数とセキュア領域２２２の暗号化情報の個数とに基づいて、各領域の残容量を算出・比較し、その比較結果に基づいて、各記録領域の容量情報を統合する」ことが記載されている（特許文献３［要約］参照）。
【０００６】
特許文献４には、「情報を暗号化して記録媒体に記録するに際し、短い記録単位毎に簡便に暗号化用情報を変更しつつ記録可能で、かつ暗号化された情報に対して分割，結合，削除するなどの変更を施すことが可能な情報記録装置を提供する」ことを課題とし、その解決手段として「情報の部分を指定する情報と、これら各部分において、各部分を所定のデータ量で分割した記録単位の番号を指定する情報を含むライセンスと、記録単位の番号から生成した暗号化用情報で暗号化した情報とを記録する」ことが記載されている（特許文献４［要約］参照）。
【先行技術文献】
【特許文献】
【０００７】
【特許文献１】特開２００５−３２８１４６号公報
【特許文献２】特開２００５−２６８８３９号公報
【特許文献３】特開２００８−２２１００号公報
【特許文献４】特開２００６−３１８５８９号公報
【発明の概要】
【発明が解決しようとする課題】
【０００８】
このような複数の記録媒体を備えた記録再生装置では、指定する記録媒体に記録することができる。また、例えば、第１の記録媒体に記録されたコンテンツを第２の記録媒体へコピー（ダビング）やムーブ（移動）することができる。また、第１の記録媒体を選択して予約記録を実行する際、実行途中に第１の記録媒体の記録可能な容量（「空き容量」，「残容量」ともいう）が所定の閾値以下となった場合、つづきを第２の記録媒体（例えばＨＤＤ）に記録（以下、「継続記録」と称する）する機能を持たせたものもある。このような記録再生装置として、例えば、特許文献１や特許文献２などの記録再生装置が挙げられる。
【０００９】
継続記録を行うと、本来一つのコンテンツが、第１の記録媒体と第２の記録媒体にまたがって存在することになり、コンテンツの管理が複雑となる。そこで、特許文献２では、予約記録終了後、第１の記録媒体に記録されたコンテンツデータ(以下、「前半部コンテンツデータ」と称する)を第２の記録媒体にダビングし、第２の記録媒体に記録された続きのコンテンツデータ（以下、「後半部コンテンツデータ」と称する）と前半部コンテンツデータとを連続する時系列順となるように編集して元の１本のコンテンツとする。これにより、コンテンツの管理が容易となる。
【００１０】
なお、直近では、デジタル放送などのデジタルデータを取り扱う場合、著作権を保護するための技術を具備した記録媒体で取り扱うことが必須となるので、例えば、著作権保護技術ＳＡＦＩＡ（Security Architecture For Intelligent Attachment Drive）に準拠したリムーバブルＨＤＤであるｉＶＤＲ−Ｓ(Information Versatile Disk for Removable usage − Secure )や、著作権保護技術ＣＰＲＭ（Content Protection for Recordable Media）に準拠したＳＤカード（登録商標）などが提案され、実用化されている（著作権保護技術ＳＡＦＩＡについては特許文献３，４参照）。以下、ｉＶＤＲ−Ｓ（以降、「ｉＶＤＲ」と省略する）やＳＤカードのような、暗号化して記録する際、１分以内の所定期間ごとに鍵を更新すると共に、暗号化したコンテンツデータをユーザによるアクセスが可能な通常領域（ノーマル領域ともいう）に記録し、それに対応した鍵と利用条件などをセットにした暗号化情報をユーザによるアクセスができないセキュア領域に記録する著作権保護技術に準拠した記録媒体を便宜上「セキュリティメディア」と称するものとする。
【００１１】
上記した特許文献２について、例えば、第１の記録媒体がリムーバブルな（着脱可能な）ＤＶＤで、第２の記録媒体が内蔵されたＨＤＤである記録再生装置に適用した場合、次に述べる課題がある。
【００１２】
デジタル放送では、記録されるデータがデジタルデータであるため、品質の劣化を引き起こすことなくコピーが可能である。そこで、違法なコピーを防止するため、デジタル放送されるコンテンツデータには、例えば、一般に「コピーワンス」と呼ばれる１世代のコピーを許可する「Ｃｏｐｙ  Ｏｎｅ  ｇｅｎｅｒａｔｉｏｎ」などを含むコピー制御情報が付され、コピー制御情報によりコピーが制限されている。これにより、現在一般に、１世代のコピー（コピーワンスともいう）と、コンテンツのムーブ（移動）のみが可能とされている。
【００１３】
もし、特許文献２の発明を適用した上記記録再生装置において、コピーワンスの放送番組コンテンツを予約記録する際、第１の記録媒体から第２の記録媒体へとまたがって継続記録した場合、第１の記録媒体（ここではＤＶＤ）から第２の記録媒体（ここではＨＤＤ）へのダビングはムーブとなる。このムーブ途中で、何らかの原因（例えば、停電による電源遮断）により、ムーブが中断されたとき、記録データが分断されることになる。ムーブの際にはコンテンツ保護のため暗号が施されるが、暗号を復号する際に必要な暗号鍵がムーブが完了した後にムーブ先（第２の記録媒体）に送られる場合には、中断するまでにムーブ先（第２の記録媒体）にムーブされたデータは再生不可能となる。また、ムーブの冒頭で暗号鍵を送る場合には、ムーブ中断で、ムーブ元（第１の記録媒体）に残されたデータは再生不可能となる。いずれにしても、ムーブ中断により、ムーブ元（第１の記録媒体）またはムーブ先（第２の記録媒体）のいずれか一方のデータが再生不可能となるという課題がある。これについては、特許文献２は何の考慮もしていない。
【００１４】
特許文献２の発明を適用した上記記録再生装置において、第１の記録媒体としてのＤＶＤを、セキュリティメディアであるｉＶＤＲ−Ｓ（以下、疑義が生じない限り、「ｉＶＤＲ」と省略する）に置き換えると、第１の記録媒体の前半部コンテンツデータを第２の記録媒体にムーブする際、標準速再生で１分以内の所定サイズの暗号化されたデータ（ブロックデータＤｉ）とこれに対応する鍵Ｋｉを前半部コンテンツデータ冒頭から逐次ムーブすることができる。従って、停電などでムーブ中断が生じても、再生不可能となるのは中断時にムーブしていたブロックｊのブロックデータＤｊ（１分以内）のみとなるので、ＤＶＤの場合のように、前半部か後半部のいずれか一方が再生不可能となることを回避することができる。しかしながら、停電などによるムーブ中断で、前半部コンテンツの残り部分と、前半部コンテンツのムーブされた部分と、後半部コンテンツと３つに分断されることになり、これらの３つのファイルを結合するのに時間がかかるという課題が生じる。
【００１５】
本発明は、上記課題に鑑みて為されたものであり、その目的は、継続記録で第１の記録媒体と第２の記録媒体にまたがって存在する分断されたコンテンツの中、第１の記録媒体に在る前半部コンテンツをムーブして第２の記録媒体の後半部コンテンツに結合する際における、停電などによるムーブの中断によって生じる再生不可能なデータ量を低減すると共に、ムーブ中断が生じても分断されるコンテンツ数を２つのままとする記録再生装置を提供することにある。
【課題を解決するための手段】
【００１６】
上記課題を解決するために、本発明の一実施の態様は、受信したコンテンツデータの前半部分を第１の記録媒体に記録し、コンテンツデータの前半部分のデータサイズ分のブランク部を空けて第２の記録媒体に受信したコンテンツデータの後半部分を記録し、第２の記録媒体へのコンテンツデータの後半部分の記録が終了すると、第２の記録媒体のブランク部にコンテンツデータの前半部分を移動させる。
【発明の効果】
【００１７】
上記手段によれば、ユーザにとって使い勝手の良い記録装置を提供できる。例えば、継続記録で生じた第１の記録媒体に在る前半部コンテンツデータを第２の記録媒体にムーブする際における、停電などに起因するムーブの中断によって生じる再生不可能なデータ量を低減することができる。また、ムーブ中断が生じても分断されるコンテンツ数を２つのままとすることができる。
【図面の簡単な説明】
【００１８】
【図１】実施例１に係わる記録再生装置の一構成例を示すブロック図。
【図２】実施例１に係わる複数の鍵に基づく記録データの分割の一例を示す図。
【図３】記録データ分割の処理手順の一例を模式的に示すフローチャート図。
【図４】実施例１に係わるリムーバブル記録媒体の好ましいデータ構成を示す図。
【図５】リムーバブルｉＶＤＲにおける好ましいデータ構成の一例を示す図。
【図６】記録したコンテンツ保護管理情報の管理の一例を示す図。
【図７】ムーブ操作を行う際の記録媒体の模式図。
【図８】実施例１に係るムーブ処理手順を示すフローチャート図。
【図９】実施例１による継続記録処理とこれに続く分割コンテンツの結合処理の概念を説明する模式図。
【図１０】継続記録から分割コンテンツの結合までの一連の処理の一実施例を示すフローチャート図。
【図１１】実施例１に係わるコンテンツデータのムーブ手順を示すフローチャート図。
【図１２】第２の実施例に係わるムーブ処理中における停電による中断の頻度低減を考慮したフローチャート図。
【発明を実施するための形態】
【００１９】
以下、実施例について図を参照しながら説明する。但し、本発明は本実施例に限定されない。例えば、本実施例は記録再生装置について説明してあり、記録再生装置での実施に好適であるが、記録再生装置以外への適用を妨げるものではない。また実施例の構成すべてが採用される必要はなく取捨選択可能である。なお、各図において、共通な機能を有する要素には同一な符号を付して示し、一度説明したものについては、重複する説明を省略する。
【００２０】
本実施例は、１世代のコピーが可能な一つのコンテンツを、例えば１分以内の複数のブロックサイズに分割し、ブロック毎にそれぞれ対応する鍵を生成して暗号化し、セキュリティメディアであるリムーバブルな第１の記録媒体へ記録する場合、記録可能な容量が所定の閾値以下となったときにはセキュリティメディアである内蔵型の第２の記録媒体へ継続記録を行い、継続記録処理終了後、第１の記録媒体に記録した前半部コンテンツを第２の記録媒体にムーブし、第２の記録媒体に記録した後半部コンテンツに結合して、元の一つのコンテンツとする記録再生装置に係わる。
【００２１】
つまり、本実施例は、例えば、コピー制御情報が１世代のみの記録が可能な所謂「Ｃｏｐｙ  ｏｎｅ  ｇｅｎｅｒａｔｉｏｎ」のコンテンツをリムーバブルな記録媒体に記録した後のムーブに係わるものであり、２００８年７月にデジタルテレビジョン放送番組の受信機能を有するＨＤＤ内蔵記録再生装置に採用された所謂「ダビング１０」は、リムーバブルな記録媒体には適用されないので、説明を簡単とするために、以下、その記述を省略するものとする。また、以下では、コピー制御情報が１世代のみの記録が可能な所謂「Ｃｏｐｙ  ｏｎｅ  ｇｅｎｅｒａｔｉｏｎ」のコンテンツを扱うものとし、ダビングはムーブであるものとして説明する。
【実施例１】
【００２２】
図１は、第１の実施例に係わる記録再生装置の一構成例を模式的に示すブロック図である。
【００２３】
記録再生装置１は、デジタル放送、或いはネットワーク経由のＩＰ（Internet Protocol）放送を受信して、記録と再生を行う受信装置である。画像圧縮技術として、例えばＭＰＥＧ（Moving Picture Experts Group）方式によって符号化され、ＭＰＥＧ２―ＴＳ（Transport Stream）方式で多重化された信号を扱う場合について説明する。
【００２４】
記録再生装置１は、受信記録再生部１０、制御部１２０（例えば、ＣＰＵ（Central Processing Unit））、ユーザインタフェース部１３０（例えば、入力装置として、キーボード、マウスまたはリモコン等）を含む。
【００２５】
本構成例は、各々をハードウェアの要素として記載しているが、一部をソフトウェアで実現してもよい。また、ネットワーク経由でのＶＯＤ（Video On Demand）等といった特定ユーザにコンテンツ（映像コンテンツ、音声コンテンツ）等を送信受信することに適用してもよい。これらを総称して配信ともいう。
【００２６】
制御部１２０は、バス１０９で本記録再生装置の各部と接続されており、記録再生装置全体の動作を制御する。また、ユーザインタフェース部１３０のリモコン（図示せず）などを介してユーザから種々の命令信号を受け、その命令信号に基づいてバス１０９を介して接続された各部を制御することで、種々の処理を実行する。
【００２７】
また、制御部１２０は、暗号鍵生成部（具体的にはソフトウエアで生成）１２０ａを内蔵しており、第１の記録媒体としてのリムーバブル記録媒体１１３や第２の記録媒体としての内蔵記録媒体１１４に例えばチューナ復号部１０１で受信した番組コンテンツを記録する際、必要に応じて暗号化のための鍵（１つの番組コンテンツに対して複数の鍵）を生成し、例えば、コピー制御情報処理部１１１を介して、生成した複数の鍵を後述する記録制御部１１２に供給する。
【００２８】
受信記録再生部１０は、チューナ復号部１０１、セレクタ１０２、分離・抽出部１０３（例えば、デマルチプレクサ）、復号部１０４（例えば、ＭＰＥＧデコーダ）、出力部１０５、ネットワークインタフェース部１０６、コピー制御情報処理部１１１、記録制御部１１２、第２の記録媒体としての内蔵記録媒体１１４、読出部１１５、コピー制御情報解析部１１６を含む。なお、受信記録再生部１０の図示しないスロットには第１の記録媒体としてのリムーバブル記録媒体１１３が装着されているものとする。
【００２９】
内蔵記録媒体１１４（第２の記録媒体、または単に記録部とも呼ぶ）、及びリムーバル記録媒体１１３（第１の記録媒体、または単に記録媒体とも呼ぶ）は、ランダムアクセスが可能な記録媒体である。ここでは、内蔵記録媒体１１４として記録容量が大きい例えばハードディスクドライブ（ＨＤＤ）を用いる。
【００３０】
また、リムーバル記録媒体１１３は、例えば、暗号化して記録する際、１分以内の所定期間ごとに鍵を更新すると共に、暗号化したコンテンツデータをユーザによるアクセスが可能な通常領域に記録し、それに対応した鍵と利用条件などをセットにした暗号化情報をユーザによるアクセスができないセキュア領域に記録する著作権保護技術に準拠したセキュリティメディアである記録媒体、つまり、コピー制御ができる（コピーが管理できる）記録媒体を用いる。
【００３１】
コピー制御ができる記録媒体としては、例えばリムーバブルｉＶＤＲを用いる。なお、本実施例では、内蔵記録媒体１１４をＨＤＤ１１４と呼び、リムーバブル記録媒体１１３をリムーバブルｉＶＤＲ１１３と呼ぶものとし、また、ＨＤＤ１１４は据え置き型のｉＶＤＲとするが、本発明の実施がこれに限定されるわけではない。
【００３２】
チューナ復号部１０１は、無線（衛星、地上）、ケーブルなどの放送伝送網を介して図示しない送信装置から送信されたデジタル放送信号を受信する。ここでは、アンテナ１０１ａで受信されたデジタル放送信号を受信するものとする。チューナ復号部１０１は、ユーザインタフェース部１３０のリモコンなどのユーザ操作部（図示せず）および制御部１２０を介して指定された物理的なあるいは仮想的なチャンネルの周波数に選局および検波処理を施す。そして、デジタル復調および誤り訂正処理を施した後のＭＰＥＧ２―ＴＳ（トランスポートストリーム）をセレクタ１０２へ出力する。
【００３３】
セレクタ１０２は、制御部１２０からの制御に従い３入力１出力の選択処理を行い、その出力を分離・抽出部１０３へ出力する。
【００３４】
分離・抽出部１０３は、ユーザインタフェース部１３０のリモコンなどのユーザ操作部および制御部１２０を介して指定されたチャンネル（番組）のトランスポートパケットから、映像と音声のＰＥＳ（Packetized Elementary Stream）またはＥＳ（Elementary Stream）を分離・抽出し、復号部１０４へ出力する。なお、ＥＳとは、圧縮・符号化された画像・音声データのそれぞれのことであり、ＰＥＳとは画像ＥＳまたは音声ＥＳを適当な大きさに分割してパケット化したものである。
【００３５】
また、分離・抽出部１０３は、ユーザインタフェース部１３０のリモコンなどのユーザ操作部および制御部１２０を介して指定されたチャンネル（番組）のトランスポートパケットを、入力されたＭＰＥＧ２―ＴＳから分離・抽出し、分離・抽出されたトランスポートパケットを記録制御部１１２へ出力する。
【００３６】
また、分離・抽出部１０３は、ユーザインタフェース部１３０のリモコンなどのユーザ操作部および制御部１２０を介して指定されたチャンネル（番組）のトランスポートパケットから、ＨＤＤ１１４、或いはリムーバブルｉＶＤＲ１１３に記録されるチャンネル（番組）に関するコピー制御情報や、タイトル，番組の開始・終了日時、などを抽出し、コピー制御情報処理部１１１へ出力する。これらの情報は、例えば、ＭＰＥＧ-ＴＳのＰＳＩ（Program Specific Information）、或いはＳＩ（Service Information）情報に格納されて図示しない送信装置から送出される。
【００３７】
復号部１０４は、分離・抽出部１０３から入力された映像／音声のＰＥＳまたはＥＳを図示しない入力バッファを用いて復号し、復号された映像／音声は出力部１０５へ出力する。
【００３８】
出力部１０５は、ＣＲＴ（Cathode Ray Tube）、ＬＣＤ（Liquid Crystal Display）、ＰＤＰ（Plasma DISPLAY Panel）等を利用した表示部、スピーカ等による音声出力部、または他の表示装置等にアナログ或いはデジタルの映像データ／音声データを出力するＨＤＭＩ（High Definition Multimedia Interface）出力端子等である。出力部１０５は、復号された映像／音声を、出力装置である表示部／音声出力部にて再生する。または、出力端子（例えば、ＨＤＭＩ）等を介して他の表示装置等に映像／音声コンテンツデータ等を出力する。
【００３９】
ネットワークインタフェース部１０６は、回線（ＩＥＥＥ１３９４ケーブルやＬＡＮケーブルや無線ＬＡＮ等）を介して、出力先／入力元である他の装置（宅内のレコーダやディスプレイ、パーソナルコンピュータなど、或いは宅外のサーバーなど）が接続される。そして、読出部１１５からの映像／音声等のトランスポートパケットを受け、それらのトランスポートパケットを、回線を介してそれぞれの伝送規格に沿った形式に変換して出力先である他の装置へ出力する。また、回線を介して入力元である他の装置から映像／音声等のデータをそれぞれの伝送規格に沿った形式で入力されてトランスポートパケットに変換し、セレクタ１０２へ出力する。なお、ネットワークインタフェース部１０６は、複数あってもよい。
【００４０】
コピー制御情報処理部１１１は、コンテンツを記録媒体に記録する際、制御部１２０から暗号化のための複数の鍵を受け取る。また、分離・抽出部１０３からのコピー制御情報を解析し、必要に応じて更新を行う。例えば、コピー制御情報が１世代のみの記録が可能な所謂「Ｃｏｐｙ  Ｏｎｅ  Ｇｅｎｅｒａｔｉｏｎ」の場合には、記録後は再コピー禁止（No More Copies）とし、コピー制御情報に“０１”を入力して更新する。そして、記録媒体に記録された後のコンテンツのコピー制御を行うために、コンテンツを暗号化するときに用いる鍵と、記録するコンテンツが有するコピー制御情報に応じて更新したコピー制御情報を相互に関連させた管理情報（以下、「コンテンツ保護管理情報」と称する）を作成し、記録制御部１１２へ出力する。なお、鍵が複数なので、コピー制御情報は鍵毎に関連付けられ、一括りで組を成すコンテンツ保護管理情報とされる。つまり、一つのコンテンツに対応して、鍵の数だけコンテンツ保護管理情報があることになる。また、分離・抽出部１０３からのタイトルや番組の開始・終了日時、等の情報に基づいて、コンテンツ管理情報（図示せず）を作成し、記録制御部１１２へ出力する。
【００４１】
また、例えば、第１の記録媒体としてのリムーバブルｉＶＤＲ１１３に記録されている所望コンテンツを第２の記録媒体としてのＨＤＤ１１４へムーブ（ダビング）する場合には、後述する読出部１１５からリムーバブルｉＶＤＲ１１３に記録されていたコピー対象のコンテンツのコンテンツ保護管理情報（すなわち、鍵情報とコピー制御情報）を受け取り、必要に応じて更新を行い、記録制御部１１２へ出力する。
【００４２】
コピー制御情報処理部１１１で処理するコピー制御情報は、例えば下記のような２ビットの信号で
１１  コピー禁止（Copy never）
０１  録画後は再コピー不可能（No more copies）
１０  一世代のみの記録が可能（Copy one generation）
００  コピー可能（Copy free）
といった指定が考えられる。例えば、受信装置３において「Copy One Generation」で記録した番組コンテンツに対して、０１＝Copy One Generationで１回コピーされたものをこれ以上コピーできない（No More Copies）と定義する。
【００４３】
記録制御部１１２は、暗号部１１２ａと容量検出部１１２ｂとを内蔵している。すなわち、記録制御部１１２は、制御部１２０からコピー制御情報処理部１１１を介して供給される各鍵に基づいて、分離・抽出部１０３からの番組コンテンツのトランスポートパケットに対して、供給される番組コンテンツが所定サイズとなる毎に、逐次暗号化を施す。以降、この作用を分かり易く表現するため、「番組コンテンツデータを所定のデータサイズのブロックに区切り、各ブロックを各鍵Ｋｉにより暗号化する」と表現するものとする（図２で後述）。
【００４４】
そして、暗号処理を施した暗号データと、番組コンテンツデータの暗号処理に用いた一連の複数の鍵および該各鍵に対応する番組コンテンツの各ブロックデータが有するコピー制御情報を含むコピー制御情報処理部１１１で作成されたコンテンツ保護管理情報と、コピー制御情報処理部１１１で作成されたコンテンツ管理情報と、をリムーバブルｉＶＤＲ１１３、或いはＨＤＤ１１４に記録する処理を行う。
【００４５】
この結果、あるチャネル（別の言い方をすれば、ある番組コンテンツ、ダウンロードしたコンテンツ）の映像／音声データが含まれた複数のトランスポートパケットに対して暗号処理を施された暗号データを有する一つのストリームが、ファイルシステムに基づく一つのデータファイルとしてリムーバブルｉＶＤＲ１１３或いはＨＤＤ１１４に記録される。
【００４６】
また、継続記録の場合には、例えば、２つに分割されたデータファイル（前半部コンテンツファイルと後半部コンテンツファイル）として、前半部コンテンツファイルがリムーバブルｉＶＤＲ１１３に、後半部コンテンツファイルがＨＤＤ１１４に記録される。
【００４７】
図２は、本実施例に係わる複数の鍵に基づく記録されるデータの分割の一例を示す図である。図２から明らかなように、一つの番組コンテンツをリムーバブルｉＶＤＲ１１３あるいはＨＤＤ１１４に記録する際、制御部１２０から番組コンテンツを暗号化するための鍵Ｋｉ（ｉ＝１〜Ｎ）が逐次記録制御部１１２に供給される。記録制御部１１２は、番組コンテンツのトランスポートパケットのデータＤに対して暗号化を行う際、各鍵Ｋｉに対応させて、一つの番組コンテンツデータＤを所定のデータサイズ（例えば、データを等倍で再生した場合の時間が１分以内（具体的には、例えば４５秒程度を目安）のブロックデータＤｉに区切り（正確にいうと、入力される番組コンテンツデータが所定サイズとなる毎に）、該ブロックデータＤｉをブロック単位で各鍵Ｋｉにより暗号化する。そして、暗号化された各ブロックデータを記録媒体に記録する。また、記録制御部１１２は、各鍵Ｋｉに関連付けて各ブロックデータＤｉの更新されたコピー制御情報Ｍｉからなる一括りの組（Ｋｉ，Ｍｉ）を成すコンテンツ保護管理情報Ｇｉを記録する。
【００４８】
なお、所謂ダビングと呼ばれるコピー（ここでは、コピー制御情報が１世代のみコピーが可能である場合とするので、コピーはムーブとなる）の際には、記録媒体に格納されているコンテンツ保護管理情報が後述する読出部１１５によって読み出され、読み出されたコンテンツ保護管理情報はコピー制御情報処理部１１１を介して記録制御部１１２に供給される。
【００４９】
図２で述べたデータ分割の処理手順について、重複する所もあるが、図３のフローチャートを用いて説明する。
【００５０】
図３は、データ分割の処理手順の一例を模式的に示すフローチャートである。例えばチューナ復号部１０１で受信した番組コンテンツの例えばリムーバブルｉＶＤＲ１１３への記録が開始されると、カウンタを初期化するためにｉに１を代入する（Ｓ１１）。
【００５１】
そして、Ｓ１２で記録が終了したか判定する。Ｓ１２の判定がＹ（はい）の場合は処理を終了する。また、Ｎｏ（いいえ）であれば、Ｓ１３に進み、制御部１２０は暗号用の鍵Ｋｉを生成し、記録制御部１１２の暗号部１１２ａに供給する。次に、記録制御部１１２に供給される番組コンテンツデータを予め定めた所定サイズで区分してブロックデータＤｉとし（Ｓ１４）、ブロックデータＤｉを暗号部１１２ａで鍵Ｋｉにより暗号化して（Ｓ１５）、暗号化されたブロックデータＤｉを記録媒体に記録すると共に（Ｓ１６）、鍵Ｋｉを含むコンテンツ保護管理情報（Ｋｉ，Ｍｉ）を記録媒体に記録する（Ｓ１７）。次に、カウンタのｉをインクリメントし（Ｓ１８）、Ｓ１２に戻り、記録が終了するまで上記手順が繰り返される。
【００５２】
また、記録制御部１１２は、容量検出部１１２ｂを有する。容量検出部１１２ｂは、少なくとも、第１の記録媒体であるリムーバブルｉＶＤＲ１１３から記録可能な容量（空き容量，残容量）を逐次検出する手段である。容量検出部１１２ｂは、リムーバブルｉＶＤＲ１１３から残容量を逐次検出することにより、所定の閾値（例えば、これ以上記録することができないと見なせる閾値）を下回ったことを検出することができる。
【００５３】
また、容量検出部１１２ｂは、例えばコンテンツ記録後の空き容量（残容量）の変化から記録されたコンテンツの容量（サイズ）を算出する機能も有する。具体的には、詳細は後述するが、例えば、容量検出部１１２ｂは、リムーバブルｉＶＤＲ１１３に一つのコンテンツを記録中、空き容量（残容量）が所定の閾値を下回ったことを検出すると、続きをＨＤＤ１１４に継続記録を行うために、当該コンテンツをリムーバブルｉＶＤＲ１１３に記録する前の空き容量値（残容量値）から所定の閾値を減算して、リムーバブルｉＶＤＲ１１３に記録された当該コンテンツの前半部の容量値（サイズ）を算出する。
【００５４】
制御部１２０は、容量検出部１１２ｂによる空き容量（残容量）の所定の閾値検出と継続記録対象の前半部コンテンツの容量算出を受けて、続きをＨＤＤ１１４に継続記録（リレー記録ともいう）を行う継続記録制御処理を行う。
【００５５】
また、継続記録制御処理に続いて、リムーバブルｉＶＤＲ１１３の前半部コンテンツをＨＤＤ１１４にムーブして、ＨＤＤ１１４の後半部コンテンツに結合し、元の一つのコンテンツに統合する結合制御処理（以下、この処理を便宜上「分割コンテンツの結合制御処理」と称するものとする）を行う。なお、継続記録制御処理および分割コンテンツの結合制御処理の詳細については後述する。
【００５６】
コピー制御情報解析部１１６は、読出部１１５を介してリムーバブルｉＶＤＲ１１３或いはＨＤＤ１１４に記録されているコンテンツ保護管理情報やコンテンツ管理情報を読み出し、そのコンテンツ保護管理情報やコンテンツ管理情報の内容を解析する。そして、リムーバブルｉＶＤＲ１１３或いはＨＤＤ１１４に記録されている番組コンテンツの再生、或いはムーブを行う場合に、ユーザインタフェース部１３０のリモコンなどのユーザ操作部および制御部１２０を介して番組コンテンツの選択ができるよう、番組コンテンツのタイトルや番組の開始・終了日時、コピー制御情報などを、制御部１２０へ渡す。また、暗号データを復号するための鍵情報を読出部１１５へ渡す。
【００５７】
読出部１１５は、制御部１２０を介して制御され、リムーバブルｉＶＤＲ１１３、或いはＨＤＤ１１４からコンテンツ保護管理情報のコピー制御情報やコンテンツ管理情報を読み出し、コピー制御情報解析部１１６へ出力する。また、読出部１１５は、復号部１１５ａを内蔵しており、暗号データをリムーバブルｉＶＤＲ１１３、或いはＨＤＤ１１４から次々に読み出し、コピー制御情報解析部１１６から渡された鍵情報に基づいて、暗号データに対して復号処理を施す。そして、復号化したトランスポートパケットをセレクタ１０２へ出力する。
【００５８】
また、例えば、第１記録媒体としてのリムーバブルｉＶＤＲ１１３に記録されている所望コンテンツを第２記録媒体としてのＨＤＤ１１４へムーブ（またはダビング）する場合には、読出部１１５は、リムーバブルｉＶＤＲから読み出した所望コンテンツの暗号データを復号することなく、記録制御部１１２に送出する。また、読出部１１５は、コピー制御情報解析部１１６で解析されたコンテンツ保護管理情報をコピー制御情報処理部１１１に送出する。
【００５９】
記録再生装置１は、以上述べたように構成されているので、例えば、チュ−ナ復号部１０１で受信された所望番組の番組コンテンツを、受信データ中の番組コンテンツに対応するコピー制御情報に基づき、コピー制御を行い、記録制御部１１２で必要に応じて暗号化し、例えばリムーバブルｉＶＤＲ１１３やＨＤＤ１１４に記録することができる。
【００６０】
また、例えば、リムーバブルｉＶＤＲ１１３（またはＨＤＤ１１４）に記録された番組コンテンツ（コンテンツファイル）を読出部１１５で読み出し必要に応じて暗号を解き、セレクタ１０２、分離・抽出部１０３、復号部１０４を介して出力部１０５に番組映像を再生することができる。
【００６１】
また、例えば、リムーバブルｉＶＤＲ１１３（またはＨＤＤ１１４）に記録されたコンテンツ（コンテンツファイル）をＨＤＤ１１４（またはリムーバブルｉＶＤＲ１１３）にダビング（またはムーブ）することができる。
【００６２】
また、１世代のコピーが可能な一つのコンテンツを、例えば１分以内の複数のブロックサイズに分割してブロック毎にそれぞれ対応する鍵を生成して暗号化して、セキュリティメディアであるリムーバブルな第１の記録媒体（ここではリムーバブルｉＶＤＲ１１３）へ記録する場合、記録可能な容量（空き容量，残容量）が所定の閾値以下となったときにはセキュリティメディアである内蔵型の第２の記録媒体へ継続記録を行い、継続記録処理終了後、第１の記録媒体に記録した前半部コンテンツを第２の記録媒体（ここではＨＤＤ１１４）にムーブし、第２の記録媒体に記録した後半部コンテンツに結合して、元の一つのコンテンツとすることができる（詳細は後述）。これらの一連の制御は、制御部１２０によって成される。
【００６３】
例えば、制御部１２０は、リムーバブルｉＶＤＲ１１３（またはＨＤＤ１１４）にデジタルデータを蓄積するときには、番組コンテンツデータに含まれるコピー制御情報に基づいて制御を行う。制御部１２０はコピー制御情報の値に応じて、コピー制御情報処理部１１１に番組コンテンツデータのコピー制御情報の更新を指示し、記録制御部１１２の暗号部１１２ａに暗号化する／しないを指示する。
【００６４】
記録再生装置１における継続記録処理と、それに続くムーブによる分割コンテンツの結合処理について説明する前に、ここで、記録媒体に記録されるデータ構成について説明しておく。
【００６５】
図４は、本実施例に係わるリムーバブル記録媒体の好ましいデータ構成の一例を示したものである。この記録媒体はコピー制御ができる（コピーが管理できる）セキュリティリムーバブルメディアであり、ユーザがアクセスできるノーマル領域と、ユーザがアクセスできないセキュア領域をひとつの記録媒体に併せ持つ。
【００６６】
セキュア領域に格納される機密情報は、この記録媒体を扱うことのできる装置との認証処理により認証が確認できた場合にはアクセス可能となるようになっており、機密情報の管理ができるようになっている。
【００６７】
すなわち、ノーマル領域には、番組コンテンツの暗号化データやコンテンツ管理情報が格納され、セキュア領域には、機密情報としてのコンテンツ保護管理情報Ｇである例えば鍵Ｋ、コピー制御情報Ｍなどが格納されることになる。勿論、図２で前述したように、一つの番組コンテンツに対応したコンテンツ保護管理情報Ｇは複数のコンテンツ保護管理情報Ｇｉからなり、各コンテンツ保護管理情報Ｇｉは、一括りの組を成す鍵Ｋｉと当該鍵Ｋｉに対応したコピー制御情報Ｍｉとからなる。なお、本実施例では、リムーバブル記録媒体をリムーバブルｉＶＤＲで構成している。
【００６８】
図５は、リムーバブルｉＶＤＲにおける好ましいデータ構成の一例を示すものである。図５から明らかなように、記録領域は、使用者がアクセスできない管理領域３０１と、使用者が所定の操作で内部のデータにアクセス可能なデータ記録領域３０２とに大別される。
【００６９】
管理領域３０１は、図４のセキュア領域に対応するものである。この管理領域３０１に、コンテンツデータを暗号化してデータ記録領域３０２に記録するための鍵データを含むコンテンツ保護管理情報Ｇ（図では保護ｘｘｘｘで表記）を保存することで秘匿性を保つことができる。
【００７０】
データ記録領域３０２は、図４のノーマル領域に対応するものである。このデータ記録領域３０２には、映像・音声データや静止画データなどのデータと共にデータ記録領域の各データに対応するコンテンツ保護情報を判別するためのコンテンツ管理情報データ（「再生用データ」ともいう）を記録する。このようなリムーバブル記録媒体としてのリムーバブルｉＶＤＲ１１３には、コピー制御情報を一括して管理領域に記録しておくこともできる。
【００７１】
図６は、ＨＤＤ１１４あるいはリムーバブルｉＶＤＲ１１３に記録（録画）を行った際に、情報秘匿が可能な管理領域６０１に保持するコンテンツ保護管理情報を示す一実施例である。６０２にはコンテンツデータの一つの纏まりを示す番組ＩＤを示す。纏まりの単位は例えば放送される番組の始めから終わりまでや、同一番組におけるコピー制御情報が同一である範囲である。
【００７２】
６０３は該当コンテンツデータのコンテンツ保護管理情報（図中ではＧと表記）を示す。コンテンツ保護管理情報６０３は、括弧の中に表記の如く、該当コンテンツに対応する鍵（図中ではＫと表記）情報６０３ｋと、コピー制御情報（図中ではＭと表記）６０３ｍとを含んでなる。
【００７３】
なお、一つのコンテンツ保護管理情報Ｇ_ｉは、図２で述べたように、複数のコンテンツ保護管理情報Ｇ_ijからなり、各コンテンツ保護管理情報Ｇ_ijは、鍵Ｋ_ijと、鍵Ｋ_ijに対応するコピー制御情報Ｍ_ijとからなる。
【００７４】
次に、図７を用いて、コンテンツのムーブ動作を模式的に説明する。なお、ムーブ（移動）とは記録媒体に記録されている「再コピー禁止（No More Copies）」の番組コンテンツを、他の記録媒体にコピーした後に再生不能化することにより、番組コンテンツの移動を行うことを意味する。
【００７５】
ここで、再生不能化とは番組コンテンツ自体の消去、或いは暗号鍵の消去などにより、再生が不可能となるようにすることを意味する。ムーブ処理の途中において、ムーブ元及びムーブ先の双方に同時に１分を越える長さの番組コンテンツが再生可能な状態で存在しない方が好ましい。
【００７６】
コンテンツが、コピー制御を守らない不正機器にコピーされることを防ぐために、ムーブを行う前に記録媒体や記録機器同士で認証を行う。認証を行うためには、例えば各記録媒体や機器が管理領域に持つ証明書（機器情報やメーカー情報が登録されたデータ）を交換する。これを認証処理と呼ぶ。認証処理を行った後は相互の管理領域へのアクセスが可能になる。認証によりお互いが不正な機器でないことが証明された後にお互いに情報の交換を行う。
【００７７】
図７に、コンテンツのムーブを行う例を示す。この例では、リムーバブルｉＶＤＲ１１３から内蔵記録媒体としてのＨＤＤ１１４に、コンテンツ保護管理情報０００２を持つ番組Ｂをムーブする例を示している。ムーブ処理でコピー処理と異なる点は、コンテンツ保護管理情報を渡す際に、ムーブ先（ＨＤＤ１１４）にコンテンツ保護管理情報を書き込んだ後に、順次ムーブ元（リムーバブルｉＶＤＲ１１３）のコンテンツ（番組Ｂ）、コンテンツ保護管理情報を削除する点である（詳細は図１１で後述する）。
【００７８】
なお、鍵データはムーブ元の記録媒体から削除した後ムーブ先の記録媒体に書き込むこととなる（その理由は、ｉＶＤＲでは、鍵がムーブ元の記録媒体とムーブ先の記録媒体の両方に同時に存在してはならないという規則があるためである）。
【００７９】
図７では、コピー元のコンテンツとコンテンツ保護管理情報を削除しているが、例えば鍵データだけを削除する実装でもよい。鍵データがなければ、暗号化されたコンテンツデータの復元が不可能になるからである。このようにして、ムーブの際にはムーブ元とムーブ先の両方で同時にコンテンツが再生可能な状態にならないように管理を行う。
【００８０】
次に、記録再生装置１におけるムーブの手順についてフローチャートを用いて説明する。  図８は、本実施例に係る記録再生装置の番組コンテンツをムーブ（移動）する手順を示すフローチャートである。なお、図８において、Ｓ０２でいう中断とは停電などによる中断を意味するものではない。
【００８１】
図８に示すように、コピー制御情報が“０１”（No More Copies）である番組コンテンツをムーブ（移動）しているときに、ムーブ処理が終了しているかを監視する（Ｓ０１）。
【００８２】
終了している場合には、ムーブ元の記録媒体の番組コンテンツ、及びこの番組コンテンツに関連するコンテンツ保護管理情報を消去し、ムーブ先記録媒体のコピー制御情報に“０１”（No More Copies）を入力して再コピー禁止状態とし、番組コンテンツのコピーは不可だが、ムーブは可能である状態とする。
【００８３】
終了していない場合には、ムーブ処理が中断しているかを監視する（Ｓ０２）。
【００８４】
中断していない場合には、ムーブ処理が終了しているかを監視する（Ｓ０１）。
【００８５】
中断している場合には、ムーブ元記録媒体のムーブ途中でまだムーブ先の記録媒体に移動していない部分の番組コンテンツ、及びこの番組コンテンツに関連するコンテンツ保護情報を保存し、既にムーブ先の記録媒体に移動した番組コンテンツについては再生不能化する。ムーブ先の記録媒体のムーブ途中の番組コンテンツを保存し、コピー制御情報に“０１”（No More Copies）を入力して再コピー禁止状態とし、番組コンテンツのコピーは不可だが、ムーブは可能である状態とする（Ｓ０３）。
【００８６】
このようにすることで、ムーブ先の番組コンテンツのコピー管理を確実に行うことができる効果がある。また、何らかの原因でムーブ処理の中断が発生した場合においても、ムーブ元とムーブ先の記録媒体それぞれに番組コンテンツが保存され、中断によって番組コンテンツが視聴できなくなることがないので使い勝手が向上する効果がある。
【００８７】
なお、上記の消去は、記録媒体上のデータを物理的に消去してもよいし、コンテンツ保護情報を消去することで記録媒体上のデータは存在するものの再生できないようにしたり、当該データにユーザがたどりつけないようリンクを削除する（間接的に消去する）ようにしたりしてもよい。
【００８８】
なお、以上の説明では、放送局から送出された番組コンテンツの場合について説明したが、放送局以外、例えば番組コンテンツ提供事業者などから送出される番組コンテンツにおいても適用可能である。
【００８９】
次に、本実施例による、リムーバブルｉＶＤＲでの記録時における継続記録処理と、この継続記録処理によって分割された前半部コンテンツをＨＤＤにムーブし、後半部コンテンツに結合して元の１つのコンテンツとする結合処理（分割コンテンツの結合処理）について説明する。
【００９０】
図９は、本実施例による継続記録処理とこれに続く分割コンテンツの結合処理の概念を説明する模式図である。同図（ａ）は記録を開始する前のリムーバブルｉＶＤＲとＨＤＤの記録状態を示すものである。同図（ｂ）はリムーバブルｉＶＤＲからＨＤＤへ継続記録した後のリムーバブルｉＶＤＲとＨＤＤの記録状態を示すものである。同図（ｃ）はリムーバブルｉＶＤＲの前半部コンテンツデータをムーブしている途中のリムーバブルｉＶＤＲとＨＤＤの記録状態を示すものである。同図（ｄ）は分割コンテンツの結合処理終了後のリムーバブルｉＶＤＲとＨＤＤの記録状態を示すものである。
【００９１】
なお、図９においては、図示を簡単とするために、記録するものとして暗号化されたコンテンツデータと暗号化のための鍵を図示している。
【００９２】
図９（ａ）において、符号ＡＲ１１３ａはリムーバブルｉＶＤＲ１１３における記録済領域を示し、符号ＡＲ１１３ｂは記録可能な領域（以下、「空き領域」と称する）である。また、符号ＡＲ１１４ａはＨＤＤ１１４における記録済領域を示し、符号ＡＲ１１４ｂは空き領域である。
【００９３】
ここで、図９（ａ）から明らかなように、リムーバブルｉＶＤＲ１１３の空き領域ＡＲ１１３ｂの残容量は残り少ないものとする。
【００９４】
このような状況下で、空き領域ＡＲ１１３ｂの残容量を超える例えばデジタル放送番組の一つのコンテンツをリムーバブルｉＶＤＲ１１３に暗号化して記録するものとする。すると、図９（ｂ）に示すように、一つのコンテンツデータの中、データＤ１，Ｄ２，Ｄ３，…，Ｄｎと各データに対応する鍵Ｋ１，Ｋ２，Ｋ３，…，Ｋｎを記録した所で、前述の容量検出部１１２ｂでリムーバブルｉＶＤＲ１１３の記録可能な容量（残容量，空き容量）が所定の閾値を下回ったことを検出すると、コンテンツデータの続き（データＤｎ＋１以降）と対応する鍵（鍵Ｋｎ＋１以降）をＨＤＤ１１４に継続記録する。従って、前半部コンテンツデータはｎ個のデータＤ１，Ｄ２，Ｄ３，…，Ｄｎからなることになる。
【００９５】
このとき、本実施例では、ＨＤＤの記録済領域ＡＲ１１４ａの後に、少なくとも、リムーバブルｉＶＤＲ１１３に記録された前半部コンテンツの容量分の空き領域ＡＲ１１４ｃを確保し、空き領域ＡＲ１１４ｃの後に後半部コンテンツデータを記録する。なお、前半部コンテンツの容量は、例えば容量検出部１１２ｂによって算出することができる。
【００９６】
図９（ｃ）に示すように、継続記録後、継続記録によって、リムーバブルｉＶＤＲ１１３に記録された前半部コンテンツとＨＤＤ１１４に記録された後半部コンテンツに分割された一つのコンテンツを、元の一つのコンテンツとして再現するために、リムーバブルｉＶＤＲ１１３の前半部コンテンツをＨＤＤ１１４の前記確保した空き領域ＡＲ１１４ｃにムーブして、ＨＤＤ１１４の後半部コンテンツに結合する分割コンテンツの結合を行う。
【００９７】
本実施例では、この空き領域ＡＲ１１４ｃへのムーブの際、複数のブロック（ブロック１〜ブロックｎ）に区分された前半部コンテンツの各ブロックデータ（Ｄ１〜Ｄｎ）を時系列順とは逆向きに、後半部コンテンツのブロックｎ＋１の前側に時系列的に最も遅いブロックｎのデータＤｎとこれに対応する鍵Ｋｎからコピーすると共に、少なくともコピーした鍵をリムーバブルｉＶＤＲ１１３から削除（ここでは、データも削除）する処理をブロック単位で逐次実施する。すなわち、ブロックｎにおけるデータＤｎとこれに対応する鍵ＫｎのコピーおよびデータＤｎと鍵ＫｎのリムーバブルｉＶＤＲ１１３からの削除が済むと、次に、ブロックｎ−１におけるデータＤｎ−１とこれに対応する鍵Ｋｎ−１のコピーおよびデータＤｎ−１と鍵Ｋｎ−１のリムーバブルｉＶＤＲ１１３からの削除を行う。以降、同様なムーブ処理と削除処理を前半部コンテンツのブロック１まで行う。
【００９８】
ブロック１までブロック単位で時系列順とは逆向きにコピーと削除を行い、ＨＤＤ１１４において、後半部コンテンツにムーブした前半部コンテンツを結合して、元の一つのコンテンツとして再現した状態を図９（ｄ）に示す。
【００９９】
図９から明らかなように、リムーバブルｉＶＤＲからＨＤＤに継続記録する際、少なくとも前半部コンテンツデータ容量と同容量分の空き領域を設け、空き領域の後に継続記録を行い、継続記録終了後、前記空き領域に、複数のブロックに区分された前半部コンテンツの各ブロックデータを時系列順とは逆向きに、後半部コンテンツのブロックｎ＋１の前側に逐次ムーブする本実施例によれば、後半部コンテンツの前に前半部コンテンツのブロックデータＤ１〜Ｄｎを結合して、元の１本のコンテンツを再現する際、例えば、一つのブロックｉのデータＤｉと鍵Ｋｉとをムーブ中に、停電などに起因するムーブ中断が生じても、ブロックｉのデータＤｉのみが再生不可能となるため、従来のような、ムーブ元（ここでは第１の記録媒体のリムーバブルｉＶＤＲ）またはムーブ先（ここでは第２の記録媒体のＨＤＤ）のいずれか一方のデータが再生不可能となるという事態を回避することができる。
【０１００】
また、ムーブ中断で分断されたコンテンツ数を、第１の記録媒体のリムーバブルｉＶＤＲにある未ムーブの前半部コンテンツと、第２の記録媒体のＨＤＤに在る既ムーブ前半部コンテンツが結合された後半部コンテンツとの２つに分かれたままとすることができる。
【０１０１】
次に、図９で述べた継続記録から分割コンテンツの結合までの一連の処理の一実施例について図１０を用いて説明する。
【０１０２】
図１０は、継続記録から分割コンテンツの結合までの一連の処理の一実施例を示すフローチャートである。
【０１０３】
図１０において、制御部１２０は、例えば、設定された予約記録の開始時間になると、予約されたデジタル放送番組の番組コンテンツをチューナ復号部１０１で受信し、設定された予約記録先としての第１の記録媒体であるリムーバブルｉＶＤＲ１１３への記録を開始する。そして、記録処理を行う（Ｓ２１）中で、容量検出部１１２ｂを介して、リムーバブルｉＶＤＲ１１３の記録可能な容量（残容量，空き容量）が、これ以上記録ができなくなる所定の閾値を下回ったか監視する（Ｓ２２）。Ｓ２２で残容量が所定の閾値に達していない場合にはＳ２８に進み、予約記録の終了時刻に達したか、つまり、記録終了かを判定し、記録終了ならば処理を終了し、記録終了でなければＳ２１に戻り記録を続ける。
【０１０４】
制御部１２０は、Ｓ２２で残容量が所定の閾値を下回ると、Ｓ２３に進み、リムーバブルｉＶＤＲ１１３へ記録された当該番組コンテンツ（前半部コンテンツ）の容量を容量検出部１１２ｂから取得する。そして、記録先を第２の記録媒体であるＨＤＤ１１４に切り替え、ＨＤＤ１１４において、後で前半部コンテンツをムーブするための空き領域（ブランク部）を設定し（Ｓ２４）、その空き領域の後に、続きの番組コンテンツ（後半部コンテンツ）を継続記録する（Ｓ２５）。継続記録の中で、記録終了かを判定する（Ｓ２６）。Ｓ２６の判定が終了でなければＳ２５に戻り記録を続ける。
【０１０５】
制御部１２０は、Ｓ２６の判定が終了であれば、次に分割コンテンツの結合処理のため、前記空き領域にリムーバブルｉＶＤＲ１１３に記録された前半部コンテンツをムーブする処理（ムーブ処理の詳細は図１１で後述）を行い（Ｓ２７）、処理を終了する。
【０１０６】
次に、本実施例によるムーブ処理について、図１１を用いて説明する。図１１は、本実施例に係るコンテンツデータのムーブ手順を示すフローチャートである。
【０１０７】
通常、記録再生装置では、セキュリティメディアを用いてムーブなどをおこなう場合には、ムーブ（移動）元とムーブ（移動）先に、同じデータが存在するのは、一定の決められた時間（例えば１分）内しか許されていないようにして、違法なコピーが行われるのを防止し、セキュリティを高めている。
【０１０８】
すなわち、ムーブ（移動）される暗号化されたコンテンツデータは、図２に示されるように、ｎ個のブロックデータＤｉ（ｉ＝１〜ｎ）に分けられ、各々に暗号化されたデータを復号化するための鍵Ｋｉおよびコピー制御情報Ｍｉが付加されて、ブロック１からｎまで、時系列順に順次ブロック単位でムーブ（移動）されている。
【０１０９】
本実施例では、データＤｉ，鍵Ｋｉ／Ｍｉの順序で、ブロックｎから１まで、時系列順とは逆向きに、逐次ブロック単位でムーブ（移動）する。
【０１１０】
図１１において、制御部１２０は、ムーブ（移動）を開始すると、先ず、カウンタを初期化するために、Ｓ３１で、ｉに最大のブロック番号ｎを代入する。次に、ムーブ処理が最小のブロック（すなわち、ブロック番号が１）まで到達したか判定し（Ｓ３２）、ムーブするデータがあるとき（つまり、最小のブロックに到達してない場合）には、ムーブ元のリムーバブルｉＶＤＲ１１３から対象ブロックｉのブロックデータＤｉをムーブ先のＨＤＤにコピーし（Ｓ３３）、さらに、リムーバブルｉＶＤＲから鍵Ｋｉ／Ｍｉを図示しないメモリに移し、ムーブ元のリムーバブルｉＶＤＲから鍵Ｋｉ／Ｍｉを削除する（Ｓ３４）。
【０１１１】
そして、図示しないメモリの鍵Ｋｉ／Ｍｉをムーブ先のＨＤＤにコピーし（Ｓ３５）、その後、ブロックデータＤｉを削除する（Ｓ３６）。これによって、ムーブされるデータの中、鍵，コピー制御情報を伴った各ブロックデータがムーブ元とムーブ先に存在するのは、短い時間（例えば１分以内、望ましくは変動を考慮して４５秒以内）に抑えることができる。
【０１１２】
次に、制御部１２０は、カウンタのｉをデクリメントし（Ｓ３７）、Ｓ３２に戻り、データがなくなるまで上記手順を繰り返す。
【０１１３】
以上述べたように、本実施例によれば、継続記録で生じた第１の記録媒体（本実施例ではリムーバブルｉＶＤＲ）に在る前半部コンテンツデータを第２の記録媒体（本実施例では内蔵のＨＤＤ）にムーブする際における、停電などに起因するムーブの中断によって生じる再生不可能なデータ量を一つのブロック量に低減することができると共に、ムーブ中断が生じても分断されるコンテンツ数を、第１の記録媒体（本実施例ではリムーバブルｉＶＤＲ）にある未ムーブの前半部コンテンツと、第２の記録媒体（本実施例では内蔵のＨＤＤ）に在る既ムーブ前半部コンテンツが結合された後半部コンテンツとの２つのままとすることができ、ムーブ中断後の結合処理の時間を短縮することが可能となる。
【０１１４】
なお、図１０では、リムーバブルｉＶＤＲ１１３の空き容量が所定の閾値を下回った場合、直ちに続きをＨＤＤ１１４に記録するようにしたが、本実施例はこれに限定されるものではない。
【実施例２】
【０１１５】
上記した第１の実施例では、コンテンツの容量（サイズ）が大きいと、ムーブに相当な時間がかかり、停電などによるムーブの中断が生じる頻度が非常に高くなる。そこで、この課題を解決する分割コンテンツの結合処理時におけるムーブ処理の第２の実施例について説明する。なお、本実施例では、第１の実施例とは、ムーブ処理のみが異なり、記録再生装置の構成は図１に同じであり、ムーブ処理以外の説明は省略するものとする。
【０１１６】
図１２は、第２の実施例におけるムーブ処理中における停電による中断の頻度低減を考慮したフローチャートである。
【０１１７】
図１２において、制御部１２０は、ムーブ（移動）を開始すると、先ず、Ｓ４１で、読出部１１５を介して、ムーブ元のリムーバブルｉＶＤＲ１１３に記録されている前半部コンテンツデータＤ１，Ｄ２，…，Ｄｎを例えば順に読み出し、前半部コンテンツデータ（Ｄ１，Ｄ２，…，Ｄｎ）を記録制御部１１２に送出し、ムーブ先のＨＤＤ１１４に記録されている後半部コンテンツの前に位置する空き領域ＡＲ１１４ｃに、前半部コンテンツデータのＤｎが後半部コンテンツデータのＤｎ＋１に結合するようにコピーする。前半部コンテンツデータ（Ｄ１，Ｄ２，…，Ｄｎ）の容量（サイズ）は容量検出部１１２ｂによって算出できるので、前半部コンテンツデータのＤｎが後半部コンテンツデータのＤｎ＋１に連結できるのは明らかであろう。
【０１１８】
なお、ここでは、前半部コンテンツデータＤ１，Ｄ２，…，Ｄｎを時系列順にコピーするとしたが、本実施例はこれに限定されるものではなく、実施例１と同様に、時系列順とは逆向きにコピーするようにしてもよいことはいうまでもない。
【０１１９】
そして、制御部１２０は、各ブロックデータＤｉに対応するコンテンツ保護管理情報Ｇｉ（鍵情報Ｋｉ，コピー制御情報Ｍｉ）を時系列順とは逆向きに逐次ムーブするためにカウンタを初期化する。すなわち、ｉに最大のブロック番号ｎをセットする（Ｓ４２）。次に、ｉが最小のブロック番号である１であるか判定する（Ｓ４３）。
【０１２０】
Ｓ４３の判定がＮｏ（いいえ）であれば、Ｓ４４に進む。Ｓ４４では、ムーブ元のリムーバブルｉＶＤＲ１１３から鍵Ｋｉ／Ｍｉを図示しないメモリに移し、リムーバブルｉＶＤＲ１１３の鍵Ｋｉ／Ｍｉを削除する。その後、鍵Ｋｉ／Ｍｉをムーブ先のＨＤＤ１１４にコピーする（Ｓ４５）。次に、制御部１２０は、カウンタのｉを１つデクリメントし（Ｓ４６）、Ｓ４３に戻り、コンテンツ保護管理情報がなくなるまでＳ４４〜Ｓ４６の処理を繰り返す。
【０１２１】
制御部１２０は、Ｓ４３の判定がＹ（はい）であれば、コンテンツ保護管理情報Ｇｉのムーブが最後のデータにまで至ったことになるので、Ｓ４７に進む。Ｓ４７では、ムーブ元のＤｉ（ｉ＝１，２，…，ｎ）を削除し、ムーブ処理を終了する。
【０１２２】
なお、図１２の処理では、後半部コンテンツデータＤｉをムーブ元から削除するようにしたが、これに対応する鍵データＫｉが削除されているので、後半部コンテンツデータの復号化が不可能であり、必ずしも削除する必要はない。
【０１２３】
このように、本実施例によるムーブでは、先ず、後半部コンテンツデータＤｉをコピー（ダビング）した後、コンテンツ保護管理情報Ｇをムーブするようにしたので、コンテンツ保護管理情報Ｇのコピー期間を従来に比べて短い時間内に収めることができ、ムーブ中に停電などによる電源遮断が生じる機会頻度を低減することができる。コンテンツデータＤｉをコピー（ダビング）中に停電などによる電源遮断が生じても、この段階では、暗号を解く鍵情報が送出されてないので、電源復帰後、中断したコンテンツデータを復元することが可能である。
【０１２４】
以上述べたように、本実施例によるムーブ処理では、ムーブの際、先ず、コンテンツデータをコピーし、その後、コンテンツデータが複数に区分されたデータブロックＤｉ毎に、該データブロックＤｉに対応する一組のコンテンツ保護管理情報Ｇｉ（暗号鍵，コピー制御情報）をそれぞれ逐次ムーブするので、鍵をムーブする期間が格段に短くなり、ムーブ中に停電などによる電源遮断によって鍵が消失される機会が大幅に低減される。
【０１２５】
なお、上記では、鍵Ｋｉに対応するコンテンツ保護管理情報Ｇｉに、コピー制御情報Ｍｉを含むようにしたが、コピー制御情報Ｍは、番組コンテンツ全体に渡り同じなので、必ずしも鍵Ｋｉに対応させて管理する必要はない。番組コンテンツに対応させて管理してもよい。
【０１２６】
また、コンテンツの前半部分、後半部分との記載は、コンテンツをちょうど半分で分けた場合のみを意味するわけではなく、前半部分と後半部分との容量が異なる場合も含むものとする。
【０１２７】
また、図１の分離・抽出部１０３、復号部１０４、コピー制御情報処理部１１１、記録制御部１１２、読出部１１５、コピー制御情報解析部１１６及び制御部１２０は、１又は複数のチップのＣＰＵにより実現されるように構成しても良い。
【符号の説明】
【０１２８】
１  記録再生装置、１０  受信記録再生部、１０１  チューナ復号部、１０２  セレクタ、１０３  分離・抽出部、１０４  復号部、１０５  出力部、１０６  ネットワークインタフェース部、１０９  バス、１１１  コピー制御情報処理部、１１２  記録制御部、１１２ａ  暗号部、１１２ｂ  容量検出部、１１３  リムーバブルｉＶＤＲ、１１４  ＨＤＤ、１１５  読出部、１１５ａ  復号部、１１６  コピー制御情報解析部、１２０  制御部、１２０ａ  暗号鍵生成部、１３０  ユーザインタフェース部、３０１  管理領域、３０２  データ記録領域、６０１  管理領域、６０２  番組ＩＤ、６０３  コンテンツ保護管理情報、
【図１】
2010257519.tif 000003
【図２】
2010257519.tif 000004
【図３】
2010257519.tif 000005
【図４】
2010257519.tif 000006
【図５】
2010257519.tif 000007
【図６】
2010257519.tif 000008
【図７】
2010257519.tif 000009
【図８】
2010257519.tif 000010
【図９】
2010257519.tif 000011
【図１０】
2010257519.tif 000012
【図１１】
2010257519.tif 000013
【図１２】
2010257519.tif 000014